(57)【要約】  デジタル放送からアナログ放送への切り替えでは、デジタル放送の再生周波数帯域及び左右分離度を、受信状況から特定したアナログ放送の値に一致するまで調整してからアナログ放送へ切り替え、アナログ放送からデジタル放送への切り替えでは、デジタル放送の再生周波数帯域及び左右分離度を、受信状況から特定したアナログ放送の値に一致するまで調整してからデジタル放送へ切り替えた後、デジタル放送の再生周波数帯域及び左右分離度をデジタル放送用に設定した値まで調整する。
2010058511.tif 000002
【特許請求の範囲】
【請求項１】
同一放送内容がアナログ放送とデジタル放送で並行して放送されるメディアを受信する放送受信装置において、
放送内容出力する放送を前記アナログ放送と前記デジタル放送との間で切り替える切り替え手段と、
前記アナログ放送の受信状況を検出する検出手段と、
前記デジタル放送の再生周波数帯域を調整する第１の調整手段と、
前記デジタル放送の左チャンネル信号と右チャンネル信号の左右分離度を調整する第２の調整手段と、
前記検出手段で検出された受信状況から前記アナログ放送の再生周波数帯域及び左右分離度を特定するとともに、
前記切り替え手段、前記第１の調整手段、及び前記第２の調整手段を制御して、
前記デジタル放送から前記アナログ放送への切り替えでは、前記デジタル放送の再生周波数帯域及び左右分離度を前記特定したアナログ放送の値に一致するまで調整してから前記アナログ放送へ切り替え、
前記アナログ放送から前記デジタル放送への切り替えでは、前記デジタル放送の再生周波数帯域及び左右分離度を前記特定したアナログ放送の値に一致するまで調整してから前記デジタル放送へ切り替えた後、前記デジタル放送の再生周波数帯域及び左右分離度をデジタル放送用に設定した値まで調整する制御手段とを備えたことを特徴とする放送受信装置。
【請求項２】
デジタル放送の受信品質を示すフラッグ値を設定するフラッグ設定手段を備え、
制御手段は、
前記フラッグ値から前記デジタル放送の受信が不可であると判定すると、前記デジタル放送の再生周波数帯域及び左右分離度を、検出手段で検出された受信状況から特定したアナログ放送の値に一致するまで調整してから前記アナログ放送へ切り替え、
前記フラッグ値から前記デジタル放送が受信可能であると判定すると、前記デジタル放送の再生周波数帯域及び左右分離度を前記特定したアナログ放送の値に一致するまで調整してから前記デジタル放送へ切り替えることを特徴とする請求項１記載の放送受信装置。
【発明の詳細な説明】
【技術分野】
【０００１】
この発明は、同一放送内容がアナログ放送とデジタル放送で並行して放送されているメディアを受信する放送受信装置に関するものである。
【背景技術】
【０００２】
特許文献１には、デジタルラジオの受信品質レベルがある基準以上又は以下になると、デジタル及びアナログのそれぞれの周波数特性を整合させて、アナログからデジタルへ、あるいはデジタルからアナログへ音声を切り替えるオーディオ放送受信装置が開示されている。
【先行技術文献】
【特許文献】
【０００３】
【特許文献１】特開２００４−２８９７８１号公報
【発明の概要】
【０００４】
しかしながら、アナログ放送のラジオの周波数特性やチャンネルセパレーション（ステレオ放送時の左右分離度）などの受信特性は、通常最適な受信音質とするために、アナログ電波の受信状況に応じて刻々と変化する。これに対して、特許文献１の手法では、予め設定された受信品質レベル基準に基づいて受信特性を整合させるため、当該基準値で最適化された一定条件のアナログ電波の受信状況を除いては、アナログ放送からデジタル放送へ、あるいはデジタル放送からアナログ放送への音声切り替えを円滑に実行できない可能性があるという課題があった。
【０００５】
この発明は、上記のような課題を解決するためになされたもので、アナログ放送の受信電波状況に応じて、周波数特性やチャンネルセパレーションなどの受信特性の整合範囲を適応的に決定することにより、ユーザに聴覚上の不快感を与えることなく、アナログ放送とデジタル放送との切り替えを円滑に実行できる放送受信装置を得ることを目的とする。
【０００６】
この発明に係る放送受信装置は、放送内容を出力する放送をアナログ放送とデジタル放送との間で切り替える切り替え手段と、アナログ放送の受信状況を検出する検出手段と、デジタル放送の再生周波数帯域を調整する第１の調整手段と、デジタル放送の左チャンネル信号と右チャンネル信号の左右分離度を調整する第２の調整手段と、検出手段で検出された受信状況からアナログ放送の再生周波数帯域及び左右分離度を特定するとともに、切り替え手段、第１の調整手段、及び第２の調整手段を制御して、デジタル放送からアナログ放送への切り替えでは、デジタル放送の再生周波数帯域及び左右分離度を前記特定したアナログ放送の値に一致するまで調整してからアナログ放送へ切り替え、アナログ放送からデジタル放送への切り替えでは、デジタル放送の再生周波数帯域及び左右分離度を前記特定したアナログ放送の値に一致するまで調整してからデジタル放送へ切り替えた後、デジタル放送の再生周波数帯域及び左右分離度をデジタル放送用に設定した値まで調整させる制御手段とを備えたことを特徴とするものである。
【０００７】
この発明によれば、デジタル放送からアナログ放送への切り替えでは、デジタル放送の再生周波数帯域及び左右分離度を、受信状況から特定したアナログ放送の値に一致するまで調整してからアナログ放送へ切り替え、アナログ放送からデジタル放送への切り替えでは、デジタル放送の再生周波数帯域及び左右分離度を、受信状況から特定したアナログ放送の値に一致するまで調整してからデジタル放送へ切り替えた後、デジタル放送の再生周波数帯域及び左右分離度をデジタル放送用に設定した値まで調整する。このようにアナログ放送の受信状況に応じてデジタル放送の音響特性を調整することで、ユーザに聴覚上の不快感を与えることなく、アナログ放送とデジタル放送との間の切り替えを円滑に実行できるという効果がある。
【図面の簡単な説明】
【０００８】
【図１】この発明の実施の形態１による放送受信装置の構成を示すブロック図である。
【図２】図１中のＣＰＵの機能ブロックを示す構成図である。
【図３】アナログ放送の受信特性を示すグラフである。
【図４】実施の形態１の放送受信装置によるアナログ放送からデジタル放送への切り替えの流れを示すフローチャートである。
【図５】実施の形態１の放送受信装置によるアナログ放送からデジタル放送への切り替え処理の概要を示す図である。
【図６】図１中のステレオブレンド器の構成を示す図である。
【図７】実施の形態１の放送受信装置によるデジタル放送からアナログ放送への切り替えの流れを示すフローチャートである。
【図８】実施の形態１の放送受信装置によるデジタル放送からアナログ放送への切り替え処理の概要を示す図である。
【発明を実施するための形態】
【０００９】
以下、この発明をより詳細に説明するために、この発明を実施するための形態について、添付の図面に従って説明する。
実施の形態１．
図１は、この発明の実施の形態１による放送受信装置の構成を示すブロック図であり、この発明を適用したラジオ受信機を示している。図１において、実施の形態１によるラジオ受信機は、ラジオアンテナ１、フロントエンド２、ＡＤ変換器３、アナログ検波回路４、ハイカット・セパレーションコントロール回路５、電波状況検出器６、デコーダ７、ローパスフィルタ８、ステレオブレンド器９、クロスフェーダ（切り替え手段）１０、ＤＡ変換器１１、スピーカ１２及びＣＰＵ１３を備える。
【００１０】
フロントエンド２は、ラジオアンテナ１で受信されたＲＦ（Radio Frequency）信号をＩＦ（Intermediate Frequency）信号に変換して出力する。ＡＤ変換器３は、フロントエンド２からのＩＦ信号をサンプリングしてデジタル信号に変換する。アナログ検波回路４は、ＡＤ変換器３からのデジタル信号をアナログ音声信号に変換する構成要素であり、アナログ受信における受信電界強度やマルチパス強度、隣接局強度等を電波状況検出器６に出力する。
【００１１】
ハイカット・セパレーションコントロール回路５は、電波状況が悪くなったとき、アナログ放送の音声再生帯域における高域成分をカットし、左チャンネル信号と右チャンネル信号とのチャンネルセパレーション（左右分離度）を低下させる。電波状況検出器（検出手段）６は、アナログ検波回路４からの受信電界強度、マルチパス強度、隣接局強度等を検出してアナログラジオ受信の品質を数値化したアナログ受信品質情報を生成する。
【００１２】
デコーダ（フラッグ設定手段）７は、Ｉ／Ｑデータから音声信号を再生するとともに、デジタルラジオ受信に必要なＣＮ値などを測定し、アクティブか非アクティブかによってデジタル受信品質を示すデジタル受信品質フラッグを生成する。なお、遅延処理などもデコーダ７で実行する。ローパスフィルタ（第１の調整手段）８（以下、ＬＰＦ８と略称する）は、カットオフ周波数が可変なローパスフィルタである。ステレオブレンド器（第２の調整手段）９は、デジタル放送のチャンネルセパレーションを自在に可変させる。
【００１３】
クロスフェーダ１０は、ハイカット・セパレーションコントロール回路５及びステレオブレンド器９の出力のうち、一方を徐々にフェードアウトし、かつ他方の出力を徐々にフェードインすることによって両者の合計出力が常に一定になるように動作する。ＤＡ変換器１１は、クロスフェーダ１０からの出力をアナログ信号に変換する構成要素であり、変換されたアナログ信号はスピーカ１２によって音声出力される。ＣＰＵ（制御手段）１３は、アナログ受信品質情報及びデジタル受信品質フラッグの状態を参照し、これらに基づいてＬＰＦ８、ステレオブレンド器９及びクロスフェーダ１０を制御する。
【００１４】
なお、図１中に破線で示す部分は、ＤＳＰ（Digital Signal Processor）チップを示しており、ＡＤ変換器３、アナログ検波回路４、ハイカット・セパレーションコントロール回路５、電波状況検出器６、デコーダ７、ＬＰＦ８、ステレオブレンド器９、クロスフェーダ１０、及びＤＡ変換器１１は、同一のＤＳＰチップ内に構築される。
【００１５】
図２は、図１中のＣＰＵの機能ブロックを示す構成図である。図２において、ＣＰＵ１３は、受信品質判定部１４、対比テーブル１５、ＬＰＦ制御部１６、ブレンド器制御部１７、デジタル受信品質フラッグ判定部１８及びクロスフェーダ制御部１９を備え、これらの構成要素は、ＣＰＵ１３が、この発明の趣旨に従う制御用プログラムを実行することにより、ソフトウェアとハードウェアが協働した具体的な手段として具現化される。
【００１６】
受信品質判定部１４は、アナログ受信品質情報を受け、ＬＰＦ制御部１６、ブレンド器制御部１７を制御する構成要素である。対比テーブル１５は、受信品質判定の基準になる受信品質とＬＰＦカットオフ周波数との対比データ、及び受信品質とブレンド係数との対比データが登録されたテーブルデータであり、不図示のメモリの記憶領域に構築される。
【００１７】
ＬＰＦ制御部１６は、ＬＰＦ８を制御する構成要素であり、ＬＰＦ８のカットオフ周波数を自在に調整する。ブレンド器制御部１７は、ステレオブレンド器９を制御し、ステレオブレンド器９のチャンネルセパレーションを調整する。デジタル受信品質フラッグ判定部１８では、デジタル受信品質フラッグ、ＬＰＦ制御部１６及びブレンド器制御部１７の制御状態を受け、クロスフェーダ制御部１９を制御する。クロスフェーダ制御部１９は、クロスフェーダ１０によるデジタル放送とアナログ放送の切り替えを制御する。
【００１８】
次に動作について説明する。
（１）アナログ放送の受信制御と通常のデジタル放送の受信制御
通常のアナログ放送受信の場合、アンテナ１で受信されたＲＦ信号が、フロントエンド２によってＩＦ信号に変換される。ＩＦ信号は、ＡＤ変換器３によってデジタル信号に変換された後、Ｉ／Ｑ信号に分離される。アナログ検波回路４は、Ｉ／Ｑ信号を音声信号に検波すると同時に、アナログ受信品質情報を生成する。なお、アナログ受信品質情報とは、アナログ放送受信における電界強度、マルチパス強度、隣接局強度などを示す情報である。
【００１９】
ハイカット・セパレーションコントロール回路５は、ＤＳＰチップ内でアナログ受信品質情報に基づいて、アナログ検波回路４で生成された音声信号の高域成分のカット（ハイカット）やチャンネルセパレーションを最適化し、受信時のノイズを抑制する。
【００２０】
一方、デジタル放送受信の場合、Ｉ／Ｑ信号は、専用のデコーダ７に直接出力される。デコーダ７は、Ｉ／Ｑ信号を音声信号に変換すると同時に、デジタル受信品質フラッグを生成する。デコーダ７によって得られた音声信号は、ＬＰＦ８やステレオブレンド器９を通過するが、通常のデジタル音声の場合は、デジタル音声の品質の高さを維持するため、ＬＰＦ８及びステレオブレンド器９では上記音声信号に対して何もしない（処理を行わない）。
【００２１】
ＣＮの向上（低下）などによってデジタル放送の受信品質が向上（低下）すると、デジタル受信品質フラッグを主なトリガとして、クロスフェーダ１０が、アナログ放送からデジタル放送（又は、デジタル放送からアナログ放送）へ音声を切り替える。
【００２２】
（２）アナログ放送とデジタル放送との間の切り替え
デジタル放送の受信品質が向上（低下）し、デジタル受信品質フラッグがアクティブ（非アクティブ）になり、アナログ放送受信からデジタル放送受信（デジタル受信からアナログ受信）に変更するそれぞれの場合について以下に述べる。なお、以降では、デジタル放送の再生周波数帯域幅がアナログ放送よりも広く、かつステレオ放送のときにデジタル放送の左右分離度がアナログ放送より大きい場合を例に挙げている。
【００２３】
（２−１）アナログ放送からデジタル放送への切り替え
図３は、アナログ放送の受信特性を示すグラフであり、図３（ａ）はハイカットのカットオフ周波数の信号強度への依存性を示し、図３（ｂ）はチャンネルセパレーションの信号強度への依存性を示している。例えば、北米のＨＤ（High Definition）ラジオにおいて、デジタル・アナログハイブリッドのＦＭ放送では、送信側のデジタル放送のパワー（送信電力）がアナログ放送より２０ｄＢ低い。
【００２４】
ハイブリッド放送におけるアナログ放送の信号強度が−８８ｄＢｍ程度（デジタル放送では−１０８ｄＢｍ程度）でデジタル放送受信が可能となる。この領域のアナログ放送受信では、ノイズ感を抑制する目的で図３（ａ）（ｂ）に示すようにＬＰＦ８のカットオフ周波数を下げ、かつセパレーションも０ｄＢ（モノラル）に設定することが多い。
【００２５】
一方、信号強度が−５０ｄＢｍ付近であると、アナログ放送の本来の周波数特性やチャンネルセパレーション（４５ｄＢ程度）となる（図３（ａ）（ｂ）参照）。ＨＤラジオのデジタル放送では、周波数特性が２０Ｈｚ〜２０ｋＨｚ、チャンネルセパレーションも７０ｄＢ以上取れるので、短い遷移時間で切り替えた場合、アナログ放送の電波状況によっては、アナログ放送からデジタル放送への切り替え時の違和感の大きさは変化する。
【００２６】
また、クロスフェーダ１０によるミキシング時間を長く設定するに伴って違和感は小さくなるが、放送局側におけるアナログ放送とデジタル放送の遅延時間調整が不適切で、ミキシング時に両者にいくらかの時間差があった場合、ミキシング中にエコーが聞こえる。これもユーザに不快感を与えるため、クロスフェーダ１０によるミキシング時間を短くしたままで違和感を減じる必要がある。以下、これらを鑑みた切り替えプロセスの詳細を説明する。
【００２７】
図４は、実施の形態１の放送受信装置によるアナログ放送からデジタル放送への切り替えの流れを示すフローチャートであり、この図に沿って処理の詳細を説明する。
先ず、ＣＰＵ１３の受信品質判定部１４は、電波状況検出器６からの現在のアナログ放送受信における信号強度情報に基づいて、ＬＰＦ８及びステレオブレンド器９の特性が、現在のアナログ放送受信における周波数特性やチャンネルセパレーション（左右分離度）に一致しているかをチェックする（ステップＳＴ１）。
【００２８】
具体的には、信号強度にマルチパス量等を加算した信号品質のファクタを決めておき、そのファクタの値で、ＬＰＦ８のカットオフ周波数、及びステレオブレンド器９の特性が一義的に決まるようにしておく。この実施の形態１では、信号強度以外のパラメータを加味しないで、図３に示したデータから対比テーブル１５を構築しておき、受信品質判定部１４が、電波状況検出器６で得られた信号強度情報からＬＰＦ８及びステレオブレンド器９に相応しい設定を選択する。
【００２９】
ステップＳＴ１において、ＬＰＦ８及びステレオブレンド器９の特性が、現在のアナログ放送受信の周波数特性やチャンネルセパレーション（左右分離度）に一致していなければ（ＮＯ；該当せず）、ＣＰＵ１３が、ＬＰＦ８及びステレオブレンド器９を制御して、現在のアナログ放送の受信特性に一致するまで変更させる。
【００３０】
次に、ＣＰＵ１３のデジタル受信品質フラッグ判定部１８は、デコーダ７から取得したデジタル受信品質フラッグがアクティブか否かを判定する（ステップＳＴ２）。ここで、デジタル受信品質フラッグがアクティブであり、デジタル放送受信が可能であると、デジタル受信品質フラッグ判定部１８は、クロスフェーダ制御部１９に対してアナログ放送からデジタル放送へ出力すべき放送を切り替えるように指示する。
【００３１】
クロスフェーダ１０は、クロスフェーダ制御部１９からの制御に従い、アナログ放送からデジタル放送へ極めて短時間で切り替える（ステップＳＴ３）。なお、デジタル受信品質フラッグが非アクティブであり、デジタル放送の受信が不可能であれば（ＮＯ；該当せず）、ステップＳＴ１の処理へ戻る。
【００３２】
図５は、実施の形態１の放送受信装置によるアナログ放送からデジタル放送への切り替え処理の概要を示す図であり、図５（ａ）はアナログ放送からデジタル放送への切り替え時のクロスフェードを示しており、図５（ｂ）は周波数特性の変化、図５（ｃ）はチャンネルセパレーション変化の一例を示している。ステップＳＴ３において、クロスフェーダ１０は、図５（ａ）に示すように、例えば１００ミリ秒（ｍｓｅｃ）程度でアナログ放送信号からデジタル放送信号へクロスフェードさせる。
【００３３】
また、ＬＰＦ８には、伝達関数が１次又は２次のフィルタを使用する。ここで、ＬＰＦ８のゲイン（出力信号振幅）が最小のカットオフ周波数（デジタル放送受信に切り替えた瞬間のカットオフ周波数）をｆｃ＿ｍｉｎとし、最大のカットオフ周波数をｆｃ＿ｍａｘ（１／２ｆｓ；サンプリング周波数の１／２）とし、この周波数間をＮ等分したときのｎ（ｎ≦Ｎ）番目に低いカットオフ周波数ｆｃ（ｎ）は下記式（１）で表すことができる。
ｆｃ（ｎ）＝１０（（ｌｏｇ（ｆｃ＿ｍｉｎ）＋ｎ＊（ｌｏｇ（ｆｃ＿ｍａｘ）−ｌｏｇ（ｆｃ＿ｍｉｎ））／Ｎ））
・・・（１）
【００３４】
図５（ｂ）に示すグラフは、横軸を周波数の対数とし、縦軸をＬＰＦ８のゲイン（出力信号振幅）として、上記式（１）からＬＰＦ８の周波数特性を求めたものである。また、図５（ｂ）においては、カットオフ周波数ｆｃ＿ｍｉｎからｆｃ＿ｍａｘまでに対応する周波数特性の曲線が横軸方向に等間隔（Ｎ等分）に並ぶようにしている。なお、フラットの設定は、カットオフ周波数ｆｃ＿ｍａｘの次のステップの最終的な設定とする。
【００３５】
また、ステレオブレンド器９としては、例えば図６に示す構成のものを使用する。ここで、最小セパレーション（デジタルに切り替えた瞬間のチャンネルセパレーション）の値を、Ｓｅｐ＿ｍｉｎ（ｄＢ）としたとき、ブレンド係数ｋの初期値ｋ（０）は、下記式で表される。
ｋ（０）＝（１−１０（Ｓｅｐ＿ｍｉｎ／２０））／（１＋１０（Ｓｅｐ＿ｍｉｎ／２０））
【００３６】
ここで、ブレンド係数ｋの値をｋ（０）から１（フルセパレーション）まで変化させ、この間をＮ等分したときにおけるｍ（ｍ≦Ｎ）番目に低いブレンド係数ｋ（ｍ）は、下記式（２）で表現される。
ｋ（ｍ）＝ｋ（０）＋ｍ＊（１−ｋ（０））／Ｎ      ・・・（２）
上記式（２）に従い、ブレンド係数ｋの値を次第に増加させることにより、セパレーションを増加させ、最終的にはｋ＝１（セパレーションは制限無しの状態）とする。この様子を図５（ｃ）に示す。
【００３７】
図４の説明に戻ると、ステップＳＴ３でクロスフェーダ１０がアナログ信号からデジタル信号へクロスフェードさせると、ＣＰＵ１３のＬＰＦ制御部１６は、図５（ｂ）中に矢印で示すように、ＬＰＦ８の周波数特性をフラットな特性に次第に近付ける（漸増）。また、ＣＰＵ１３のブレンド器制御部１７が、図５（ｃ）中に矢印で示すように、ステレオブレンド器９の特性をフル・ステレオの状態（ブレンド係数ｋ＝１の状態）に次第に近づける（漸増）（ステップＳＴ４）。このようにして、ＬＰＦ８及びステレオブレンド器９が、ＣＰＵ１３の制御に従って、デジタル放送用に設定された上記受信特性（ＬＰＦ８の周波数特性がフラットで、かつステレオブレンド器９の特性がフルセパレーションな状態）に漸増させる。
【００３８】
なお、ＬＰＦ８とステレオブレンド器９の接続関係を逆にして、ステレオブレンド器９の特性をフル・ステレオの状態に近付ける処理を、ＬＰＦ８の周波数特性をフラットな特性に近付ける処理より先に実行してもよい。また、ＬＰＦ制御部１６及びブレンド器制御部１７が、これら処理を並行実行しても構わない。
【００３９】
ＬＰＦ制御部１６及びブレンド器制御部１７は、ＬＰＦ８及びステレオブレンド器９の制御を、ＬＰＦ８の周波数特性がフラットで、かつステレオブレンド器９の特性がフルセパレーション（フル・ステレオ）状態になるまで実行する（ステップＳＴ５）。ここで、デジタル放送の本来の受信特性である、ＬＰＦ８の周波数特性がフラットで、かつステレオブレンド器９の特性がフルセパレーションの状態になると（ＹＥＳ；該当）、ＣＰＵ１３は処理を完了する。
【００４０】
（２−２）デジタル放送からアナログ放送への切り替え
図７は、実施の形態１の放送受信装置によるデジタル放送からアナログ放送への切り替えの流れを示すフローチャートである。
先ず、デジタル受信品質フラッグ判定部１８は、デコーダ７から取得したデジタル受信品質フラッグがアクティブか否かを判定する（ステップＳＴ１ａ）。ここで、デジタル放送の受信が可能であれば（ＹＥＳ；該当）、デジタル放送受信を継続して、ステップＳＴ１ａの処理を繰り返す。一方、デジタル受信品質フラッグが非アクティブであり、デジタル放送の受信が不可能になると（ＮＯ；該当せず）、デジタル受信品質フラッグ判定部１８は、その旨を受信品質判定部１４に通知する。
【００４１】
受信品質判定部１４は、上記通知を受けると、電波状況検出器６からのアナログ放送受信における信号強度情報に基づいて現在のアナログ放送の周波数特性やチャンネルセパレーション（左右分離度）を特定し、ＬＰＦ８及びステレオブレンド器９の特性（ＬＰＦ８の周波数特性がフラットで、かつステレオブレンド器９の特性がフルセパレーション（フル・ステレオ）状態から、現在のアナログ放送の周波数特性やチャンネルセパレーションに漸減させるよう、ＬＰＦ制御部１６及びブレンド器制御部１７に指示する。
【００４２】
図８は、実施の形態１の放送受信装置によるデジタル放送からアナログ放送への切り替え処理の概要を示す図であり、図８（ａ）はチャンネルセパレーション変化の一例を示しており、図８（ｂ）は周波数特性の変化、図８（ｃ）はデジタル放送からアナログ放送への切り替え時のクロスフェードを示している。ステップＳＴ２ａにおいて、受信品質判定部１４から指示を受けると、ブレンド器制御部１７は、図８（ａ）中に矢印で示すように、ステレオブレンド器９の特性を現在のアナログ放送受信と同じ状態に次第に近づける。また、ＬＰＦ制御部１６は、図８（ｂ）中に矢印で示すように、ＬＰＦ８の周波数特性をフラットな特性から現在のアナログ放送受信と同じ状態に次第に近付ける。このようにして、ＬＰＦ８及びステレオブレンド器９が、ＣＰＵ１３の制御によって、デジタル放送の受信特性を、本来の受信特性からアナログ受信特性へ漸減させる。
【００４３】
ＬＰＦ制御部１６及びブレンド器制御部１７は、ＬＰＦ８及びステレオブレンド器９をそれぞれ制御して、ＬＰＦ８の周波数特性及びステレオブレンド器９の特性が現在のアナログ放送受信と同じ状態になるまで実行する（ステップＳＴ３ａ）。ここで、デジタル受信品質フラッグ判定部１８は、現在のアナログ放送受信と同じ状態になり（ＹＥＳ；該当）、ＬＰＦ制御部１６及びブレンド器制御部１７からその旨の通知を受けると、クロスフェーダ制御部１９に対してデジタル放送からアナログ放送に切り替えるように指示する。
【００４４】
クロスフェーダ１０は、クロスフェーダ制御部１９からの指示に従い、デジタル放送信号からアナログ放送信号へ極めて短時間で切り替える（ステップＳＴ４ａ）。例えば、図８（ｃ）に示すように、１００ミリ秒（ｍｓｅｃ）程度でデジタル放送信号からアナログ放送信号へクロスフェードさせる。
【００４５】
なお、ＬＰＦ８の周波数特性を現在のアナログ放送受信と同じ状態に近付ける処理を、ステレオブレンド器９の特性を現在のアナログ放送受信と同じ状態に近付ける処理より先に実行してもよい。また、ＬＰＦ制御部１６及びブレンド器制御部１７が、これら処理を並行実行しても構わない。
【００４６】
以上のように、この実施の形態１によれば、デジタル放送からアナログ放送への切り替えでは、デジタル放送の再生周波数帯域及び左右分離度を、受信状況から特定したアナログ放送の値に一致するまで調整してからアナログ放送へ切り替え、アナログ放送からデジタル放送への切り替えでは、デジタル放送の再生周波数帯域及び左右分離度を、受信状況から特定したアナログ放送の値に一致するまで調整してからデジタル放送へ切り替えた後、デジタル放送の再生周波数帯域及び左右分離度をデジタル放送用に設定した値まで調整する。このようにアナログ放送の受信状況に応じてデジタル放送の音響特性を調整することで、ユーザに聴覚上の不快感を与えることなく、アナログ放送とデジタル放送との間の音声切り替えを円滑に実行できる。
【００４７】
なお、上記実施の形態１では北米のＨＤラジオを例に挙げて説明したが、本発明は、これに限定されるものではない。欧州におけるＤＡＢ（Digital Audio Broadcasting）とＦＭとの同時放送の切り替えなど、アナログ放送とデジタル放送の同時放送がなされているメディアであれば適用可能である。
【産業上の利用可能性】
【００４８】
この発明に係る放送受信装置は、ユーザに聴覚上の不快感を与えることなく、アナログ放送とデジタル放送との間の切り替えを円滑に実行できるため、同一放送内容がアナログ放送とデジタル放送で並行して放送されているメディアを受信する放送受信装置等に用いるのに適している。
【図１】
2010058511.tif 000003
【図２】
2010058511.tif 000004
【図３】
2010058511.tif 000005
【図４】
2010058511.tif 000006
【図５】
2010058511.tif 000007
【図６】
2010058511.tif 000008
【図７】
2010058511.tif 000009
【図８】
2010058511.tif 000010
【手続補正書】
【提出日】平成22年10月14日(2010.10.14)
【手続補正１】
【補正対象書類名】明細書
【補正対象項目名】全文
【補正方法】変更
【補正の内容】
【発明の詳細な説明】
【技術分野】
【０００１】
この発明は、同一放送内容がアナログ放送とデジタル放送で並行して放送されているメディアを受信する放送受信装置に関するものである。
【背景技術】
【０００２】
特許文献１には、デジタルラジオの受信品質レベルがある基準以上又は以下になると、デジタル及びアナログのそれぞれの周波数特性を整合させて、アナログからデジタルへ、あるいはデジタルからアナログへ音声を切り替えるオーディオ放送受信装置が開示されている。
【先行技術文献】
【特許文献】
【０００３】
【特許文献１】特開２００４−２８９７８１号公報
【発明の概要】
【発明が解決しようとする課題】
【０００４】
しかしながら、アナログ放送のラジオの周波数特性やチャンネルセパレーション（ステレオ放送時の左右分離度）などの受信特性は、通常最適な受信音質とするために、アナログ電波の受信状況に応じて刻々と変化する。これに対して、特許文献１の手法では、予め設定された受信品質レベル基準に基づいて受信特性を整合させるため、当該基準値で最適化された一定条件のアナログ電波の受信状況を除いては、アナログ放送からデジタル放送へ、あるいはデジタル放送からアナログ放送への音声切り替えを円滑に実行できない可能性があるという課題があった。
【０００５】
この発明は、上記のような課題を解決するためになされたもので、アナログ放送の受信電波状況に応じて、周波数特性やチャンネルセパレーションなどの受信特性の整合範囲を適応的に決定することにより、ユーザに聴覚上の不快感を与えることなく、アナログ放送とデジタル放送との切り替えを円滑に実行できる放送受信装置を得ることを目的とする。
【課題を解決するための手段】
【０００６】
この発明に係る放送受信装置は、出力する音声をアナログ放送から抽出したものとデジタル放送から抽出したものとの間で切り替える切り替え手段と、アナログ放送の受信状況を検出する検出手段と、アナログ放送の音声信号の周波数特性と左チャンネル信号と右チャンネル信号の左右分離度を制限する機能を有するアナログ放送音声信号処理手段と、デジタル放送専用の再生周波数帯域を調整する第１の調整手段と、デジタル放送専用の左右分離度を調整する第２の調整手段と、検出手段で検出された受信状況からアナログ放送音声信号処理手段で設定されているアナログ放送より抽出される音声信号の再生周波数帯域及び左右分離度制限の設定値を特定するとともに、切り替え手段、第１の調整手段、及び第２の調整手段を制御して、デジタル放送からアナログ放送への切り替えでは、デジタル放送より抽出される音声信号の再生周波数帯域及び左右分離度を、デジタル放送専用の制限をかけない設定値から、特定したアナログ放送受信時の設定値と等価になるまで第１の調整手段、及び第２の調整手段の特性を制限した後にアナログ放送より抽出される音声信号へ切り替え、アナログ放送からデジタル放送への切り替えでは、第１の調整手段と第２の調整手段を、特定したアナログ放送受信時の設定値と等価になるまで制限してから、アナログ放送より抽出された音声信号を、デジタル放送より抽出された音声信号へ切り替えた後、デジタル放送の再生周波数帯域及び左右分離度をデジタル放送専用の制限をかけない設定値まで拡大する制御手段とを備えたことを特徴とするものである。
【発明の効果】
【０００７】
この発明によれば、デジタル放送からアナログ放送への切り替えでは、デジタル放送より抽出される音声信号の再生周波数帯域及び左右分離度を、デジタル放送専用の制限をかけない設定値から、特定したアナログ放送受信時の設定値と等価になるまで第１の調整手段、及び第２の調整手段の特性を制限した後にアナログ放送より抽出される音声信号へ切り替え、アナログ放送からデジタル放送への切り替えでは、第１の調整手段と第２の調整手段を、特定したアナログ放送受信時の設定値と等価になるまで制限してから、アナログ放送より抽出された音声信号を、デジタル放送より抽出された音声信号へ切り替えた後、デジタル放送の再生周波数帯域及び左右分離度をデジタル放送専用の制限をかけない設定値まで拡大する。このようにアナログ放送の受信状況に応じてデジタル放送の音響特性を調整することで、ユーザに聴覚上の不快感を与えることなく、アナログ放送とデジタル放送との間の切り替えを円滑に実行できるという効果がある。
【図面の簡単な説明】
【０００８】
【図１】この発明の実施の形態１による放送受信装置の構成を示すブロック図である。
【図２】図１中のＣＰＵの機能ブロックを示す構成図である。
【図３】アナログ放送の受信特性を示すグラフである。
【図４】実施の形態１の放送受信装置によるアナログ放送からデジタル放送への切り替えの流れを示すフローチャートである。
【図５】実施の形態１の放送受信装置によるアナログ放送からデジタル放送への切り替え処理の概要を示す図である。
【図６】図１中のステレオブレンド器の構成を示す図である。
【図７】実施の形態１の放送受信装置によるデジタル放送からアナログ放送への切り替えの流れを示すフローチャートである。
【図８】実施の形態１の放送受信装置によるデジタル放送からアナログ放送への切り替え処理の概要を示す図である。
【発明を実施するための形態】
【０００９】
以下、この発明をより詳細に説明するために、この発明を実施するための形態について、添付の図面に従って説明する。
【００１０】
実施の形態１．
図１は、この発明の実施の形態１による放送受信装置の構成を示すブロック図であり、この発明を適用したラジオ受信機を示している。図１において、実施の形態１によるラジオ受信機は、ラジオアンテナ１、フロントエンド２、ＡＤ変換器３、アナログ検波回路４、ハイカット・セパレーションコントロール回路５、電波状況検出器６、デコーダ７、ローパスフィルタ８、ステレオブレンド器９、クロスフェーダ（切り替え手段）１０、ＤＡ変換器１１、スピーカ１２及びＣＰＵ１３を備える。
【００１１】
フロントエンド２は、ラジオアンテナ１で受信されたＲＦ（Radio Frequency）信号をＩＦ（Intermediate Frequency）信号に変換して出力する。ＡＤ変換器３は、フロントエンド２からのＩＦ信号をサンプリングしてデジタル信号に変換する。アナログ検波回路４は、ＡＤ変換器３からのデジタル信号をアナログ音声信号に変換する構成要素であり、アナログ受信における受信電界強度やマルチパス強度、隣接局強度等を電波状況検出器６に出力する。
【００１２】
ハイカット・セパレーションコントロール回路５は、電波状況が悪くなったとき、アナログ放送の音声再生帯域における高域成分をカットし、左チャンネル信号と右チャンネル信号とのチャンネルセパレーション（左右分離度）を低下させる。電波状況検出器（検出手段）６は、アナログ検波回路４からの受信電界強度、マルチパス強度、隣接局強度等を検出してアナログラジオ受信の品質を数値化したアナログ受信品質情報を生成する。
【００１３】
デコーダ（フラッグ設定手段）７は、Ｉ／Ｑデータから音声信号を再生するとともに、デジタルラジオ受信に必要なＣＮ値などを測定し、アクティブか非アクティブかによってデジタル受信品質を示すデジタル受信品質フラッグを生成する。なお、遅延処理などもデコーダ７で実行する。ローパスフィルタ（第１の調整手段）８（以下、ＬＰＦ８と略称する）は、カットオフ周波数が可変なローパスフィルタである。ステレオブレンド器（第２の調整手段）９は、デジタル放送のチャンネルセパレーションを自在に可変させる。
【００１４】
クロスフェーダ１０は、ハイカット・セパレーションコントロール回路５及びステレオブレンド器９の出力のうち、一方を徐々にフェードアウトし、かつ他方の出力を徐々にフェードインすることによって両者の合計出力が常に一定になるように動作する。ＤＡ変換器１１は、クロスフェーダ１０からの出力をアナログ信号に変換する構成要素であり、変換されたアナログ信号はスピーカ１２によって音声出力される。ＣＰＵ（制御手段）１３は、アナログ受信品質情報及びデジタル受信品質フラッグの状態を参照し、これらに基づいてＬＰＦ８、ステレオブレンド器９及びクロスフェーダ１０を制御する。
【００１５】
なお、図１中に破線で示す部分は、ＤＳＰ（Digital Signal Processor）チップを示しており、ＡＤ変換器３、アナログ検波回路４、ハイカット・セパレーションコントロール回路５、電波状況検出器６、デコーダ７、ＬＰＦ８、ステレオブレンド器９、クロスフェーダ１０、及びＤＡ変換器１１は、同一のＤＳＰチップ内に構築される。
【００１６】
図２は、図１中のＣＰＵの機能ブロックを示す構成図である。図２において、ＣＰＵ１３は、受信品質判定部１４、対比テーブル１５、ＬＰＦ制御部１６、ブレンド器制御部１７、デジタル受信品質フラッグ判定部１８及びクロスフェーダ制御部１９を備え、これらの構成要素は、ＣＰＵ１３が、この発明の趣旨に従う制御用プログラムを実行することにより、ソフトウェアとハードウェアが協働した具体的な手段として具現化される。
【００１７】
受信品質判定部１４は、アナログ受信品質情報を受け、ＬＰＦ制御部１６、ブレンド器制御部１７を制御する構成要素である。対比テーブル１５は、受信品質判定の基準になる受信品質とＬＰＦカットオフ周波数との対比データ、及び受信品質とブレンド係数との対比データが登録されたテーブルデータであり、不図示のメモリの記憶領域に構築される。
【００１８】
ＬＰＦ制御部１６は、ＬＰＦ８を制御する構成要素であり、ＬＰＦ８のカットオフ周波数を自在に調整する。ブレンド器制御部１７は、ステレオブレンド器９を制御し、ステレオブレンド器９のチャンネルセパレーションを調整する。デジタル受信品質フラッグ判定部１８では、デジタル受信品質フラッグ、ＬＰＦ制御部１６及びブレンド器制御部１７の制御状態を受け、クロスフェーダ制御部１９を制御する。クロスフェーダ制御部１９は、クロスフェーダ１０によるデジタル放送とアナログ放送の切り替えを制御する。
【００１９】
次に動作について説明する。
（１）アナログ放送の受信制御と通常のデジタル放送の受信制御
通常のアナログ放送受信の場合、アンテナ１で受信されたＲＦ信号が、フロントエンド２によってＩＦ信号に変換される。ＩＦ信号は、ＡＤ変換器３によってデジタル信号に変換された後、Ｉ／Ｑ信号に分離される。アナログ検波回路４は、Ｉ／Ｑ信号を音声信号に検波すると同時に、アナログ受信品質情報を生成する。なお、アナログ受信品質情報とは、アナログ放送受信における電界強度、マルチパス強度、隣接局強度などを示す情報である。
【００２０】
ハイカット・セパレーションコントロール回路５は、ＤＳＰチップ内でアナログ受信品質情報に基づいて、アナログ検波回路４で生成された音声信号の高域成分のカット（ハイカット）やチャンネルセパレーションを最適化し、受信時のノイズを抑制する。
【００２１】
一方、デジタル放送受信の場合、Ｉ／Ｑ信号は、専用のデコーダ７に直接出力される。デコーダ７は、Ｉ／Ｑ信号を音声信号に変換すると同時に、デジタル受信品質フラッグを生成する。デコーダ７によって得られた音声信号は、ＬＰＦ８やステレオブレンド器９を通過するが、通常のデジタル音声の場合は、デジタル音声の品質の高さを維持するため、ＬＰＦ８及びステレオブレンド器９では上記音声信号に対して何もしない（処理を行わない）。
【００２２】
ＣＮの向上（低下）などによってデジタル放送の受信品質が向上（低下）すると、デジタル受信品質フラッグを主なトリガとして、クロスフェーダ１０が、アナログ放送からデジタル放送（又は、デジタル放送からアナログ放送）へ音声を切り替える。
【００２３】
（２）アナログ放送とデジタル放送との間の切り替え
デジタル放送の受信品質が向上（低下）し、デジタル受信品質フラッグがアクティブ（非アクティブ）になり、アナログ放送受信からデジタル放送受信（デジタル受信からアナログ受信）に変更するそれぞれの場合について以下に述べる。なお、以降では、デジタル放送の再生周波数帯域幅がアナログ放送よりも広く、かつステレオ放送のときにデジタル放送の左右分離度がアナログ放送より大きい場合を例に挙げている。
【００２４】
（２−１）アナログ放送からデジタル放送への切り替え
図３は、アナログ放送の受信特性を示すグラフであり、図３（ａ）はハイカットのカットオフ周波数の信号強度への依存性を示し、図３（ｂ）はチャンネルセパレーションの信号強度への依存性を示している。例えば、北米のＨＤ（High Definition）ラジオにおいて、デジタル・アナログハイブリッドのＦＭ放送では、送信側のデジタル放送のパワー（送信電力）がアナログ放送より２０ｄＢ低い。
【００２５】
ハイブリッド放送におけるアナログ放送の信号強度が−８８ｄＢｍ程度（デジタル放送では−１０８ｄＢｍ程度）でデジタル放送受信が可能となる。この領域のアナログ放送受信では、ノイズ感を抑制する目的で図３（ａ）（ｂ）に示すようにＬＰＦ８のカットオフ周波数を下げ、かつセパレーションも０ｄＢ（モノラル）に設定することが多い。
【００２６】
一方、信号強度が−５０ｄＢｍ付近であると、アナログ放送の本来の周波数特性やチャンネルセパレーション（４５ｄＢ程度）となる（図３（ａ）（ｂ）参照）。ＨＤラジオのデジタル放送では、周波数特性が２０Ｈｚ〜２０ｋＨｚ、チャンネルセパレーションも７０ｄＢ以上取れるので、短い遷移時間で切り替えた場合、アナログ放送の電波状況によっては、アナログ放送からデジタル放送への切り替え時の違和感の大きさは変化する。
【００２７】
また、クロスフェーダ１０によるミキシング時間を長く設定するに伴って違和感は小さくなるが、放送局側におけるアナログ放送とデジタル放送の遅延時間調整が不適切で、ミキシング時に両者にいくらかの時間差があった場合、ミキシング中にエコーが聞こえる。これもユーザに不快感を与えるため、クロスフェーダ１０によるミキシング時間を短くしたままで違和感を減じる必要がある。以下、これらを鑑みた切り替えプロセスの詳細を説明する。
【００２８】
図４は、実施の形態１の放送受信装置によるアナログ放送からデジタル放送への切り替えの流れを示すフローチャートであり、この図に沿って処理の詳細を説明する。
先ず、ＣＰＵ１３の受信品質判定部１４は、電波状況検出器６からの現在のアナログ放送受信における信号強度情報に基づいて、ＬＰＦ８及びステレオブレンド器９の特性が、現在のアナログ放送受信における周波数特性やチャンネルセパレーション（左右分離度）に一致しているかをチェックする（ステップＳＴ１）。
【００２９】
具体的には、信号強度にマルチパス量等を加算した信号品質のファクタを決めておき、そのファクタの値で、ＬＰＦ８のカットオフ周波数、及びステレオブレンド器９の特性が一義的に決まるようにしておく。この実施の形態１では、信号強度以外のパラメータを加味しないで、図３に示したデータから対比テーブル１５を構築しておき、受信品質判定部１４が、電波状況検出器６で得られた信号強度情報からＬＰＦ８及びステレオブレンド器９に相応しい設定を選択する。
【００３０】
ステップＳＴ１において、ＬＰＦ８及びステレオブレンド器９の特性が、現在のアナログ放送受信の周波数特性やチャンネルセパレーション（左右分離度）に一致していなければ（ＮＯ；該当せず）、ＣＰＵ１３が、ＬＰＦ８及びステレオブレンド器９を制御して、現在のアナログ放送の受信特性に一致するまで変更させる。
【００３１】
次に、ＣＰＵ１３のデジタル受信品質フラッグ判定部１８は、デコーダ７から取得したデジタル受信品質フラッグがアクティブか否かを判定する（ステップＳＴ２）。ここで、デジタル受信品質フラッグがアクティブであり、デジタル放送受信が可能であると、デジタル受信品質フラッグ判定部１８は、クロスフェーダ制御部１９に対してアナログ放送からデジタル放送へ出力すべき放送を切り替えるように指示する。
【００３２】
クロスフェーダ１０は、クロスフェーダ制御部１９からの制御に従い、アナログ放送からデジタル放送へ極めて短時間で切り替える（ステップＳＴ３）。なお、デジタル受信品質フラッグが非アクティブであり、デジタル放送の受信が不可能であれば（ＮＯ；該当せず）、ステップＳＴ１の処理へ戻る。
【００３３】
図５は、実施の形態１の放送受信装置によるアナログ放送からデジタル放送への切り替え処理の概要を示す図であり、図５（ａ）はアナログ放送からデジタル放送への切り替え時のクロスフェードを示しており、図５（ｂ）は周波数特性の変化、図５（ｃ）はチャンネルセパレーション変化の一例を示している。ステップＳＴ３において、クロスフェーダ１０は、図５（ａ）に示すように、例えば１００ミリ秒（ｍｓｅｃ）程度でアナログ放送信号からデジタル放送信号へクロスフェードさせる。
【００３４】
また、ＬＰＦ８には、伝達関数が１次又は２次のフィルタを使用する。ここで、ＬＰＦ８のゲイン（出力信号振幅）が最小のカットオフ周波数（デジタル放送受信に切り替えた瞬間のカットオフ周波数）をｆｃ＿ｍｉｎとし、最大のカットオフ周波数をｆｃ＿ｍａｘ（１／２ｆｓ；サンプリング周波数の１／２）とし、この周波数間をＮ等分したときのｎ（ｎ≦Ｎ）番目に低いカットオフ周波数ｆｃ（ｎ）は下記式（１）で表すことができる。
ｆｃ（ｎ）＝１０（（ｌｏｇ（ｆｃ＿ｍｉｎ）＋ｎ＊（ｌｏｇ（ｆｃ＿ｍａｘ）−ｌｏｇ（ｆｃ＿ｍｉｎ））／Ｎ））
・・・（１）
【００３５】
図５（ｂ）に示すグラフは、横軸を周波数の対数とし、縦軸をＬＰＦ８のゲイン（出力信号振幅）として、上記式（１）からＬＰＦ８の周波数特性を求めたものである。また、図５（ｂ）においては、カットオフ周波数ｆｃ＿ｍｉｎからｆｃ＿ｍａｘまでに対応する周波数特性の曲線が横軸方向に等間隔（Ｎ等分）に並ぶようにしている。なお、フラットの設定は、カットオフ周波数ｆｃ＿ｍａｘの次のステップの最終的な設定とする。
【００３６】
また、ステレオブレンド器９としては、例えば図６に示す構成のものを使用する。ここで、最小セパレーション（デジタルに切り替えた瞬間のチャンネルセパレーション）の値を、Ｓｅｐ＿ｍｉｎ（ｄＢ）としたとき、ブレンド係数ｋの初期値ｋ（０）は、下記式で表される。
ｋ（０）＝（１−１０（Ｓｅｐ＿ｍｉｎ／２０））／（１＋１０（Ｓｅｐ＿ｍｉｎ／２０））
【００３７】
ここで、ブレンド係数ｋの値をｋ（０）から１（フルセパレーション）まで変化させ、この間をＮ等分したときにおけるｍ（ｍ≦Ｎ）番目に低いブレンド係数ｋ（ｍ）は、下記式（２）で表現される。
ｋ（ｍ）＝ｋ（０）＋ｍ＊（１−ｋ（０））／Ｎ      ・・・（２）
上記式（２）に従い、ブレンド係数ｋの値を次第に増加させることにより、セパレーションを増加させ、最終的にはｋ＝１（セパレーションは制限無しの状態）とする。この様子を図５（ｃ）に示す。
【００３８】
図４の説明に戻ると、ステップＳＴ３でクロスフェーダ１０がアナログ信号からデジタル信号へクロスフェードさせると、ＣＰＵ１３のＬＰＦ制御部１６は、図５（ｂ）中に矢印で示すように、ＬＰＦ８の周波数特性をフラットな特性に次第に近付ける（漸増）。また、ＣＰＵ１３のブレンド器制御部１７が、図５（ｃ）中に矢印で示すように、ステレオブレンド器９の特性をフル・ステレオの状態（ブレンド係数ｋ＝１の状態）に次第に近づける（漸増）（ステップＳＴ４）。このようにして、ＬＰＦ８及びステレオブレンド器９が、ＣＰＵ１３の制御に従って、デジタル放送用に設定された上記受信特性（ＬＰＦ８の周波数特性がフラットで、かつステレオブレンド器９の特性がフルセパレーションな状態）に漸増させる。
【００３９】
なお、ＬＰＦ８とステレオブレンド器９の接続関係を逆にして、ステレオブレンド器９の特性をフル・ステレオの状態に近付ける処理を、ＬＰＦ８の周波数特性をフラットな特性に近付ける処理より先に実行してもよい。また、ＬＰＦ制御部１６及びブレンド器制御部１７が、これら処理を並行実行しても構わない。
【００４０】
ＬＰＦ制御部１６及びブレンド器制御部１７は、ＬＰＦ８及びステレオブレンド器９の制御を、ＬＰＦ８の周波数特性がフラットで、かつステレオブレンド器９の特性がフルセパレーション（フル・ステレオ）状態になるまで実行する（ステップＳＴ５）。ここで、デジタル放送の本来の受信特性である、ＬＰＦ８の周波数特性がフラットで、かつステレオブレンド器９の特性がフルセパレーションの状態になると（ＹＥＳ；該当）、ＣＰＵ１３は処理を完了する。
【００４１】
（２−２）デジタル放送からアナログ放送への切り替え
図７は、実施の形態１の放送受信装置によるデジタル放送からアナログ放送への切り替えの流れを示すフローチャートである。
先ず、デジタル受信品質フラッグ判定部１８は、デコーダ７から取得したデジタル受信品質フラッグがアクティブか否かを判定する（ステップＳＴ１ａ）。ここで、デジタル放送の受信が可能であれば（ＹＥＳ；該当）、デジタル放送受信を継続して、ステップＳＴ１ａの処理を繰り返す。一方、デジタル受信品質フラッグが非アクティブであり、デジタル放送の受信が不可能になると（ＮＯ；該当せず）、デジタル受信品質フラッグ判定部１８は、その旨を受信品質判定部１４に通知する。
【００４２】
受信品質判定部１４は、上記通知を受けると、電波状況検出器６からのアナログ放送受信における信号強度情報に基づいて現在のアナログ放送の周波数特性やチャンネルセパレーション（左右分離度）を特定し、ＬＰＦ８及びステレオブレンド器９の特性（ＬＰＦ８の周波数特性がフラットで、かつステレオブレンド器９の特性がフルセパレーション（フル・ステレオ）状態から、現在のアナログ放送の周波数特性やチャンネルセパレーションに漸減させるよう、ＬＰＦ制御部１６及びブレンド器制御部１７に指示する。
【００４３】
図８は、実施の形態１の放送受信装置によるデジタル放送からアナログ放送への切り替え処理の概要を示す図であり、図８（ａ）はチャンネルセパレーション変化の一例を示しており、図８（ｂ）は周波数特性の変化、図８（ｃ）はデジタル放送からアナログ放送への切り替え時のクロスフェードを示している。ステップＳＴ２ａにおいて、受信品質判定部１４から指示を受けると、ブレンド器制御部１７は、図８（ａ）中に矢印で示すように、ステレオブレンド器９の特性を現在のアナログ放送受信と同じ状態に次第に近づける。また、ＬＰＦ制御部１６は、図８（ｂ）中に矢印で示すように、ＬＰＦ８の周波数特性をフラットな特性から現在のアナログ放送受信と同じ状態に次第に近付ける。このようにして、ＬＰＦ８及びステレオブレンド器９が、ＣＰＵ１３の制御によって、デジタル放送の受信特性を、本来の受信特性からアナログ受信特性へ漸減させる。
【００４４】
ＬＰＦ制御部１６及びブレンド器制御部１７は、ＬＰＦ８及びステレオブレンド器９をそれぞれ制御して、ＬＰＦ８の周波数特性及びステレオブレンド器９の特性が現在のアナログ放送受信と同じ状態になるまで実行する（ステップＳＴ３ａ）。ここで、デジタル受信品質フラッグ判定部１８は、現在のアナログ放送受信と同じ状態になり（ＹＥＳ；該当）、ＬＰＦ制御部１６及びブレンド器制御部１７からその旨の通知を受けると、クロスフェーダ制御部１９に対してデジタル放送からアナログ放送に切り替えるように指示する。
【００４５】
クロスフェーダ１０は、クロスフェーダ制御部１９からの指示に従い、デジタル放送信号からアナログ放送信号へ極めて短時間で切り替える（ステップＳＴ４ａ）。例えば、図８（ｃ）に示すように、１００ミリ秒（ｍｓｅｃ）程度でデジタル放送信号からアナログ放送信号へクロスフェードさせる。
【００４６】
なお、ＬＰＦ８の周波数特性を現在のアナログ放送受信と同じ状態に近付ける処理を、ステレオブレンド器９の特性を現在のアナログ放送受信と同じ状態に近付ける処理より先に実行してもよい。また、ＬＰＦ制御部１６及びブレンド器制御部１７が、これら処理を並行実行しても構わない。
【００４７】
以上のように、この実施の形態１によれば、デジタル放送からアナログ放送への切り替えでは、デジタル放送の再生周波数帯域及び左右分離度を、受信状況から特定したアナログ放送の値に一致するまで調整してからアナログ放送へ切り替え、アナログ放送からデジタル放送への切り替えでは、デジタル放送の再生周波数帯域及び左右分離度を、受信状況から特定したアナログ放送の値に一致するまで調整してからデジタル放送へ切り替えた後、デジタル放送の再生周波数帯域及び左右分離度をデジタル放送用に設定した値まで調整する。このようにアナログ放送の受信状況に応じてデジタル放送の音響特性を調整することで、ユーザに聴覚上の不快感を与えることなく、アナログ放送とデジタル放送との間の音声切り替えを円滑に実行できる。
【００４８】
なお、上記実施の形態１では北米のＨＤラジオを例に挙げて説明したが、本発明は、これに限定されるものではない。欧州におけるＤＡＢ（Digital Audio Broadcasting）とＦＭとの同時放送の切り替えなど、アナログ放送とデジタル放送の同時放送がなされているメディアであれば適用可能である。
【００４９】
この発明に係る放送受信装置は、ユーザに聴覚上の不快感を与えることなく、アナログ放送とデジタル放送との間の切り替えを円滑に実行できるため、同一放送内容がアナログ放送とデジタル放送で並行して放送されているメディアを受信する放送受信装置等に用いるのに適している。
【手続補正２】
【補正対象書類名】特許請求の範囲
【補正対象項目名】全文
【補正方法】変更
【補正の内容】
【特許請求の範囲】
【請求項１】
同一放送内容がアナログ放送とデジタル放送で並行して放送されるメディアを受信する放送受信装置において、
出力する音声を前記アナログ放送から抽出したものと前記デジタル放送から抽出したものとの間で切り替える切り替え手段と、
前記アナログ放送の受信状況を検出する検出手段と、
前記アナログ放送の音声信号の周波数特性と左チャンネル信号と右チャンネル信号の左右分離度を制限する機能を有するアナログ放送音声信号処理手段と、
前記デジタル放送専用の再生周波数帯域を調整する第１の調整手段と、
前記デジタル放送専用の左右分離度を調整する第２の調整手段と、
前記検出手段で検出された受信状況から前記アナログ放送音声信号処理手段で設定されている前記アナログ放送より抽出される音声信号の再生周波数帯域及び左右分離度制限の設定値を特定するとともに、
前記切り替え手段、前記第１の調整手段、及び前記第２の調整手段を制御して、
前記デジタル放送から前記アナログ放送への切り替えでは、前記デジタル放送より抽出される音声信号の再生周波数帯域及び左右分離度を、デジタル放送専用の制限をかけない設定値から、前記特定したアナログ放送受信時の設定値と等価になるまで前記第１の調整手段、及び前記第２の調整手段の特性を制限した後に前記アナログ放送より抽出される音声信号へ切り替え、
前記アナログ放送から前記デジタル放送への切り替えでは、前記第１の調整手段と前記第２の調整手段を、前記特定したアナログ放送受信時の設定値と等価になるまで制限してから、前記アナログ放送より抽出された音声信号を、前記デジタル放送より抽出された音声信号へ切り替えた後、前記デジタル放送の再生周波数帯域及び左右分離度をデジタル放送専用の制限をかけない設定値まで拡大する制御手段とを備えたことを特徴とする放送受信装置。
【請求項２】
デジタル放送の受信品質を示すフラッグ値を設定するフラッグ設定手段を備え、
制御手段は、
デジタル放送受信時において、前記フラッグ値から前記デジタル放送の受信が不可であると判定すると、前記デジタル放送より抽出される音声信号の再生周波数帯域及び左右分離度を、デジタル放送専用の制限をかけない設定値から、前記検出手段で検出された受信状況から特定したアナログ放送受信時の設定値と等価になるまで前記第１の調整手段、及び前記第２の調整手段の特性を制限した後に前記アナログ放送より抽出される音声信号へ切り替え、
アナログ放送受信時において、前記フラッグ値から前記デジタル放送が受信可能であると判定すると、前記第１の調整手段と前記第２の調整手段を前記特定したアナログ放送受信時の設定値と等価になるまで制限してから、前記アナログ放送より抽出される音声信号を前記デジタル放送より抽出された音声信号へ切り替えることを特徴とする請求項１記載の放送受信装置。
【国際調査報告】
2010058511.tif 000011
2010058511.tif 000012